(57)【要約】【課題】  アコースティックドラムの打撃感や演奏感に近付けることができる電子ドラム用パッドを提供すること。【解決手段】  略円盤状に形成されたパッド本体１１を含んで電子ドラム用パッド１０が構成されている。パッド本体１１は、表面に打面１４が形成された平面部１５を備え、打面１４の面内には、当該打面１４を打撃したスティックの跳ね返り方向を補正する補正部材２２が配置されている。補正部材２２は、例えば、打面１４より摩擦係数が小さいポリエステルやナイロン等の樹脂繊維からなる織布若しくは不織布等のクロス材を用いて構成され、打面１４を打撃するスティックと打面１４との接触面積を縮小する。【選択図】      図２
2005227535.tif 000002
【特許請求の範囲】
【請求項１】
スティックにより打撃される打面が形成されたパッド本体を含む電子ドラム用パッドにおいて、
前記打面の面内に、当該打面を打撃したスティックの跳ね返り方向を補正する補正部材を配置したことを特徴とする電子ドラム用パッド。
【請求項２】
前記補正部材は、打面を打撃するスティックと打面との接触面積を縮小させることを特徴とする請求項１記載の電子ドラム用パッド。
【請求項３】
前記補正部材は、打面より摩擦係数が低い素材により構成されていることを特徴とする請求項１又は２記載の電子ドラム用パッド。
【請求項４】
前記補正部材は、打面の露出面積を縮小したことを特徴とする請求項１，２又は３記載の電子ドラム用パッド。
【発明の詳細な説明】
【技術分野】
【０００１】
本発明は、電子ドラム用パッドに係り、更に詳しくは、打面を打撃したスティックの跳ね返りを補正して良好な演奏感を維持することができる電子ドラム用パッドに関する。
【背景技術】
【０００２】
公知のアコースティックドラムにおいては、所定のテンションによって張設された皮や合成樹脂シート等により打面を形成し、当該打面をスティックにより打撃して振動させることによって音が発せられる。
【０００３】
一方、アコースティックドラムを電子化したものとして、電子ドラムが市場を流通するに至っており、この電子ドラムは、打面を形成するパッドの振動を電子音に変換可能に設けられている。電子ドラムは、所定の電子音源を介してスピーカやヘッドホン等の出力装置に接続され、当該出力装置から発生する電子音の強弱をコントロールできるようになっている。
従って、電子ドラムは、防音構造が採用されていない室内等で練習用として利用される場合が多く、このため、スティックの打撃によるパッドからの発音をできるだけ静かにする要請がある。
【０００４】
この一方、電子ドラムでは、パッドの振動を圧電素子等からなるセンサにより感知し、スティックの打撃力に応じた電子音を電子音源に出力する構造が採用されている。よって、センサによって振動を感知し易い素材によりパッドを構成する要請もある。
つまり、電子ドラムに用いられるパッドは、静音化を図る要請と、センサにより振動を感知され易くする要請とを同時に満たすため、その素材としていわゆるゴムを用いて構成されている（特許文献１参照）。
【０００５】
【特許文献１】特開２００２−１９６７５３号公報
【特許文献２】特開平１０−２０８５４号公報
【発明の開示】
【発明が解決しようとする課題】
【０００６】
しかしながら、前記ゴム製パッドの打面と、アコースティックドラムの打面とでは、打面を打撃したスティックの跳ね返り方向が異なるという不都合がある。
これを更に詳述すると、図４に示されるように、アコースティックドラムでは、スティックと打面Ｆとの接触点Ｐを通過して当該打面Ｆに直交する仮想線Ｌに対し、スティックの跳ね返り方向Ｄ１とスティックの打撃方向Ｄ２とが略線対称となる。
これに対し、ゴム製のパッドでは、スティックの跳ね返り方向Ｄ３が、スティックの打撃方向Ｄ２に沿う方向（図４参照）となり、仮想線Ｌを挟んで前記跳ね返り方向Ｄ１と略逆方向となる。
これは、ゴムがブリーディング（吹き出し）によりべたつき易くなるため、スティックの打撃により弾性変形すると同時に当該スティックの先端が打面Ｆに吸い付くようになり、打面Ｆからスティックに付与される反発力が前記打撃方向Ｄ２に沿う方向となることに起因する。
このため、電子ドラムを用いて練習を行った場合、演奏者がフィルイン等において並設された複数のパッドを連打するときに、素早いスティックの移動の障害になるばかりでなく、アコースティックドラムを演奏したときに比べてスティックの移動に違和感を生じさせてしまうという不都合がある。
なお、特許文献１に開示されたパッドは、ゴム用プライマーによって打面に表面処理が施されているものの、当該表面処理ではゴムを改質するにすぎないため、前記吸い付きを十分に改善することが困難となる。
【０００７】
ところで、電子ドラムの打面を形成する他の形態として、網状素材を張設することにより打面が形成されたものが知られている（特許文献２参照）。
しかしながら、このような構成によれば、網状素材のテンションを調整する作業が面倒となり、当該テンションによって感知される振動も不安定になるという不都合を招来する。
【０００８】
［発明の目的］
本発明は、このような不都合に着目して案出されたものであり、その目的は、打面を打撃したスティックの跳ね返り方向を補正し、アコースティックドラムの打撃感や演奏感に近付けることができる電子ドラム用パッドを提供することにある。
【課題を解決するための手段】
【０００９】
前記目的を達成するため、本発明は、スティックにより打撃される打面が形成されたパッド本体を含む電子ドラム用パッドにおいて、
前記打面の面内に、当該打面を打撃したスティックの跳ね返り方向を補正する補正部材を配置した、という構成を採っている。
【００１０】
本発明において、前記補正部材は、打面を打撃するスティックと打面との接触面積を縮小させる、という構成を採用することが好ましい。
【００１１】
また、前記補正部材は、打面より摩擦係数が低い素材により構成されるとよい。
【００１２】
更に、前記補正部材は、打面の露出面積を縮小した、という構成も好ましくは採用される。
【発明の効果】
【００１３】
本発明によれば、パッド本体と別素材からなる補正部材を打面に配置でき、当該補正部材により打面を打撃するスティックの跳ね返り方向を補正することが可能となる。従って、パッド本体をゴム製とした場合、前述したパッドの静音化、センサによる振動の感知し易さを維持しつつ、スティックの跳ね返り方向をアコースティックドラムと同様に設定して演奏感を向上させることが可能となる。しかも、打面に補正部材を配置すればよいため、特許文献２のような調整作業を不要とすることもできる。
また、補正部材がスティックと打面との接触面積を縮小させるので、パッド本体をゴムにより構成した場合であっても、ゴムのべたつきによる影響を回避することができる。これにより、スティックと打面との吸い付きを抑制でき、スティックの跳ね返り方向が補正された状態に安定して保たれることとなる。
更に、打面より摩擦係数が低い素材により補正部材を構成したので、打面におけるスティックの滑りを良好に維持することができ、フィルイン等において、複数のパッド間におけるスティックの移動をスムースに行うことが可能となる。
また、打面の露出面積を縮小するように補正部材を配置したから、紫外線やオゾン等から打面を保護することができ、パッド本体の経年変化を抑制して当該パッド本体の弾力性や硬度を良好に持続することが可能となる。しかも、補正部材に任意の色や印刷を施すことにより、高いデザイン性を付与することもできる。
【発明を実施するための最良の形態】
【００１４】
以下、本発明の実施の形態について図面を参照しながら説明する。
【００１５】
図１には、実施形態に係る電子ドラム用パッドの概略平面図が示され、図２には、図１のＡ−Ａ線に沿う断面図が示されている。これらの図において、電子ドラム用パッド１０（以下、「パッド」とする）は、略円盤状に形成されたパッド本体１１を含んで構成され、下側から有底容器状をなす支持部材１２を介して支持されている。
【００１６】
前記パッド本体１１は、特に限定されるものでないが、本実施形態では、適度な硬さを有する天然或いは合成、或いはそれらを混合させたいわゆるゴムにより構成されている。パッド本体１１は、表面（図２中上面）に打面１４が形成された平面視略円形の平面部１５と、この平面部１５の外周に連なるリム状の隆起部１６とを備えて構成されている。隆起部１６の下面側には、１６Ａ溝が形成されており、この溝１６Ａ内に前記支持部材１２の上端部が受容されて当該上端部と係合するようになっている。
【００１７】
前記平面部１５の図２中下面側には、平面視したときに、平面部１５と略同心円状に位置する鉄板１８、センサボード１９及びセンサ２０が設けられている。鉄板１８は、平面部１５の下面に接着剤等を介して固着されている。センサボード１９は、例えば、発泡塩化ビニル等の樹脂材により構成され、鉄板１８の下面に接着剤等を介して固着されている。センサ２０は、板状をなす圧電素子等により構成されるとともに、センサボード１９の下面に固着されている。センサ２０は、スティックにより打面１４を打撃したときに、パッド本体１１、鉄板１８及びセンサボード１９に伝わる振動を検出し、この検出信号を図示しない電線を介して所定の電子音源に入力するようになっている。
ここで、平面部１５における打面１４の面内には、パッド本体１１と別部材となる補正部材２２が配置されている。
【００１８】
前記補正部材２２は、種々の素材を用いて構成することができ、打面１４より摩擦係数が小さいポリエステルやナイロン等の樹脂繊維からなる織布若しくは不織布等のクロス材を用いた構成が例示できる。また、補正部材２２の打面１４に対する取り付け方法も、特に限定されるものでなく、適宜な接着剤等を介して接着又は粘着したり、パッド本体１１と一体成形したりすることが例示できる。
このように補正部材２２を配置すると、スティックにより打面１４を打撃したときに、補正部材２２を形成する繊維の間からスティックの先端が打面１４に接触したり、スティックの先端が打面１４に接触しなくなる。従って、打面１４に補正部材２２を配置しない場合に比べて、スティックと打面１４との接触面積が縮小することとなる。更に、補正部材２２により打面１４が被覆されるようになり、前記繊維の間からだけ打面１４を露出させたり、打面１４が略露出しなくなり、打面１４に補正部材２２を配置しない場合に比べて、打面１４の露出面積が縮小する。
【００１９】
従って、このような実施形態によれば、前述のような補正部材２２を打面１４に配置したので、スティックにより打面１４を打撃したときに、ゴムの性質に起因するスティックと打面１４との吸い付きを抑制することができる。これにより、パッド本体１１の反発力によるスティックの跳ね返り方向がアコースティックドラムと同様（図４参照）になるように補正され、演奏者に良好なる演奏感及び打撃感を付与することが可能となる。
【００２０】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置、材質若しくは方向、その他の詳細な構成において、当業者が様々な変形を加えることができるものである。
【００２１】
例えば、前記補正部材２２は、平面部１５の打面１４だけでなく、膨出部１６の表面も被覆するように配置してもよい。
また、補正部材２２の取り付け方法は、種々の変更が可能であり、例えば、図３に示されるように、補正部材２２の厚さ方向下側部分がパッド本体１１に含浸する一方、厚さ方向上側部分が打面１４より上側に露出するように取り付けてもよい。
更に、補正部材２２の素材は、前述の構成に限られず、例えば、皮や合成樹脂シート等により構成してもよい。要するに、補正部材２２は、打面１４を打撃したスティックの跳ね返り方向が、アコースティックドラムの跳ね返り方向に近付くように補正可能な素材とすれば足りる。
【産業上の利用可能性】
【００２２】
本発明は、パッドの振動を電子的に変換して打撃音を出力する電子ドラムセットに利用することができる。
【図面の簡単な説明】
【００２３】
【図１】実施形態に係る電子ドラム用パッドの概略平面図。
【図２】図１のＡ−Ａ線に沿う断面図。
【図３】変形例に係る電子ドラム用パッドの要部拡大縦断面図。
【図４】従来の電子ドラム用パッドの打面とアコースティックドラムの打面とにおけるスティックの跳ね返り方向を比較する図。
【符号の説明】
【００２４】
１０・・・パッド（電子ドラム用パッド）、１１・・・パッド本体、１４・・・打面、２２・・・補正部材
【図１】
2005227535.tif 000003
【図２】
2005227535.tif 000004
【図３】
2005227535.tif 000005
【図４】
2005227535.tif 000006